(57)【要約】【課題】肩にかけたバッグのずり落ちを防ぐことができ、しかも、首掛けベルトの長さを変えることなく肩巻付けベルトの長さを調節でき、使用時に帯状片がねじれて身体に食い込むことがないバッグの保持ベルトを提供すること。【解決手段】それぞれ帯状片より成る肩巻付けベルト２及び首掛けベルト３を備え、肩巻付けベルト２は、長さ調節可能であって環状に形成され、首掛けベルト３の一端が肩巻付けベルト２に取り付けられ、首掛けベルト３の他端に、バッグＡの持ち手Ｂと着脱可能に連結されるバッグ支持部１３が設けられる。【選択図】図５
2018122020.tif 000002
【特許請求の範囲】
【請求項１】
それぞれ帯状片より成る肩巻付けベルト及び首掛けベルトを備え、前記肩巻付けベルトは、長さ調節可能であって、環状に形成され、前記首掛けベルトの一端が前記肩巻付けベルトに取り付けられ、前記首掛けベルトの他端に、バッグの持ち手と着脱可能に連結されるバッグ支持部が設けられたことを特徴とするバッグの保持ベルト。
【請求項２】
前記肩巻付けベルトの両端部に、互いに着脱可能に係止される一対の係止具が設けられ、該係止具を係止することにより前記肩巻付けベルトが環状に形成されることを特徴とする請求項１に記載のバッグの保持ベルト。
【請求項３】
前記首掛けベルトの一端が前記肩巻付けベルトに着脱可能に取り付けられていることを特徴とする請求項１又は２に記載のバッグの保持ベルト。
【請求項４】
前記首掛けベルトの長さが調整可能であることを特徴とする請求項１〜３のいずれかに記載のバッグの保持ベルト。
【請求項５】
矩形の外枠と、該外枠の２本の対角線にそれぞれ沿う斜め材とから成る位置調整具を備え、前記斜め材で区画された一対の対向する区画部に前記肩巻付けベルトを摺動可能に挿通し、前記首掛けベルトの一端部を折り返し、折り返した部分を他対の対向する区画部に摺動可能に挿通すると共に、前記首掛けベルトの外面に面ファスナーで着脱可能に係止することにより、前記首掛けベルトの一端が前記肩巻付けベルトに取り付けられていることを特徴とする請求項１〜４のいずれかに記載のバッグの保持ベルト。
【請求項６】
前記首掛けベルトの首当接部分の外周面が、前記帯状片より滑らかな布で被覆されていることを特徴とする請求項１〜５のいずれかに記載のバッグの保持ベルト。
【発明の詳細な説明】
【技術分野】
【０００１】
本発明は、バッグの持ち手を肩にかけた時、ずり落ちるのを防ぐバッグの保持ベルトに関する。
【背景技術】
【０００２】
バッグの持ち手を肩にかけて持ち運ぶと、両手が自由になり、重い物品を収容しても比較的楽に運ぶことはできるものの、歩行時の振動により肩から滑り落ちやすく、ずり落ちた持ち手をその都度引き上げるのは非常に煩わしい。
そこで、従来、バッグに連結して身体に装着することにより、バッグが肩からずり落ちるのを防ぐずり落ち防止具が種々提案されている。
例えば、特許文献１には、帯状の防止具本体と、防止具本体の一方をショルダーバッグの肩掛けベルトに装着するベルト装着部と、防止具本体の他方に挟持部とを備え、使用者の一方の肩にかけた肩掛けベルトにベルト装着部を装着して、首周りに沿って防止具本体を配置し、使用者の他方の肩から挟持部を脇の下に挟み、防止具本体に一方の肩から他方の肩へ張力を付与する肩掛けベルトのずり落ち防止具が記載されている。
【０００３】
このずり落ち防止具は、防止具本体を通した長さ調整用バックルにより、長さ調整用バックルを挟んで一側に形成された開放部側環状部を肩幅程度の長さに調整し、この開放部側環状部にショルダーバッグの肩掛けベルトを通し、さらに、肩掛けベルトを一方の肩にかけた状態で、防止具本体を背面側から使用者の首周りに沿って配置し、長さ調整用バックルを挟んで他側に形成された閉塞部側環状部を他方の肩に腕を通した状態で装着することによって、肩掛けベルトがずり落ちるのを防ぐことができる。
【先行技術文献】
【特許文献】
【０００４】
【特許文献１】特開２０１５−２９８５９号公報
【発明の概要】
【発明が解決しようとする課題】
【０００５】
しかし、上記従来の肩掛けベルトのずり落ち防止具は、防止具本体が１本のベルトで形成されているため、使用者の体格や着ている衣服の厚さに応じて閉塞部側環状部の長さを変えると、開放部側環状部の長さも変わってしまい、肩掛けベルトを適正な位置で保持できなくなる恐れがある。また、環状の防止具本体の一側（開放部側環状部）を首の後ろにかけ、他側（閉塞部側環状部）を肩周りに装着するので、閉塞部側環状部と開放部側環状部との方向を変えるために防止具本体をねじらなければならず、ねじった部分が身体に食い込んで不快感を与えやすい。
本発明が解決しようとする課題は、肩にかけたバッグのずり落ちを防ぐことができ、しかも、首掛けベルトの長さと無関係に肩巻付けベルトの長さを調節でき、使用時に帯状片がねじれて身体に食い込むことがないバッグの保持ベルトを提供することにある。
【課題を解決するための手段】
【０００６】
本発明のバッグの保持ベルトは、それぞれ帯状片より成る肩巻付けベルト及び首掛けベルトを備え、前記肩巻付けベルトは、長さ調節可能であって環状に形成され、前記首掛けベルトの一端が前記肩巻付けベルトに取り付けられ、前記首掛けベルトの他端に、バッグの持ち手と着脱可能に連結されるバッグ支持部が設けられる。
【０００７】
前記肩巻付けベルトの両端部に、互いに着脱可能に係止される一対の係止具が設けられ、該係止具を係止することにより前記肩巻付けベルトが環状に形成されるとよい。
前記首掛けベルトの一端が前記肩巻付けベルトに着脱可能に取り付けられていることが望ましい。
前記首掛けベルトの長さを調整可能にするとよい。
矩形の外枠と、該外枠の２本の対角線にそれぞれ沿う斜め材とから成る位置調整具を備え、前記斜め材で区画された一対の対向する区画部に前記肩巻付けベルトを摺動可能に挿通し、前記首掛けベルトの一端部を折り返し、折り返した部分を他対の対向する区画部に摺動可能に挿通すると共に、前記首掛けベルトの外面に面ファスナーで着脱可能に係止することにより、前記首掛けベルトの一端が前記肩巻付けベルトに取り付けられていることがある。
前記首掛けベルトの首当接部分の外周面が、前記帯状片より滑らかな布で被覆されてもよい。
【発明の効果】
【０００８】
請求項１に係る発明によれば、長さ調節可能な肩巻付けベルトに、別体の首掛けベルトが取り付けられているので、使用者の身体の大きさや着ている衣服の厚さに応じて肩巻付けベルトの長さを変えても、首掛けベルトの長さは変わらず、このため、常に適正な位置バッグの持ち手を保持することができる。
また、肩巻付けベルトと首掛けベルトは別体なので、肩巻付けベルトと首掛けベルトの方向を変えるためにねじる必要がなく、ねじった部分が身体に当たって不快感を当たえる心配がない。
【０００９】
請求項２に係る発明によれば、一対の係止具を係脱することにより、肩巻付けベルトを肩から脇の下を通る腕の付け根の周囲に着脱しやすい。
請求項３に係る発明によれば、首掛けベルトを肩巻付けベルトから外し、向きを変えて装着することができるので、バッグを左右どちらの肩にもかけることができる。
請求項４に係る発明によれば、首掛けベルトの長さを使用者の体形等に応じて適切に調整できる。
請求項５に係る発明によれば、首掛けベルトを肩巻付けベルトに固定しなくても、首掛けベルトの位置がずれにくく、安定して取り付けることが可能である。
請求項６に係る発明によれば、首に直接、或いは薄手の衣服を介して首掛けベルトが当たっても、皮膚が擦れたり、傷つくことがなく、布の色や模様によってデザイン性を高めることができる。
【図面の簡単な説明】
【００１０】
【図１】本発明の実施例を示すバッグの保持ベルトの斜視図である。
【図２】本発明の実施例を示すバッグの保持ベルトの係止具取り外し状態における斜視図である。
【図３】本発明の実施例に係る位置調整具の平面図である。
【図４】本発明の実施例を示すバッグの保持ベルトの要部平面図である。
【図５】本発明の実施例を示すバッグの保持ベルトの使用状態における斜視図である。
【発明を実施するための形態】
【００１１】
以下、本発明の実施例を図面に基づいて詳細に説明する。
図１及び図２に示すように、本発明のバッグの保持ベルト１は、肩巻付けベルト２及び首掛けベルト３を備える。肩巻付けベルト２及び首掛けベルト３は、それぞれ約２５ｍｍ幅の強靭な帯状片より成る。
肩巻付けベルト２は、７０ｃｍ〜８５ｃｍ程度の長さを有し、その一端部を折り返すと共に、折り返した部分の先端に矩形枠状の長さ調整具４を取り付けてある。そして、長さ調整具４に肩巻付けベルト２を摺動可能に通し、長さ調整具４を肩巻付けベルト２に対して摺動させて、折り返した部分の長さを変えることにより、肩巻付けベルト２の長さを調節できるようになっている。
【００１２】
肩巻付けベルト２の一端部の折り返したループに、一方の係止具５ａが摺動可能に取り付けられる。また、肩巻付けベルト２の他端に他方の係止具５ｂが取り付けられる。一方の係止具５ａと他方の係止具５ｂとは、互いに押し付け合うことによって着脱可能にスナップ係止され、これら一対の係止具５ａ，５ｂを係止すると肩巻付けベルト２は環状に形成され（図１）、係止具５ａ，５ｂを外すと肩巻付けベルト２は１本の帯状に展開される（図２）。
なお、一対の係止具は、簡単に着脱できるものであればよく、図示のものに限定されない。
【００１３】
首掛けベルト３の一端は位置調整具６を介して肩巻付けベルト２に取り付けられる。
位置調整具６は、プラスチックあるいは金属を素材とし、図３に示すように、矩形の外枠７と、外枠７の２本の対角線にそれぞれ沿う斜め材８，８’とから成る。
外枠７の対向する二辺間の内法距離は肩巻付けベルト２及び首掛けベルト３の幅とほぼ等しく、図４に示すように、斜め材８，８’で区画された一対の対向する区画部９，９’に肩巻付けベルト２を摺動可能に順次挿通してある。
また、首掛けベルト３の一端部は外面側へ折り返され、折り返した部分が位置調整具６の他対の区画部１０，１０’に摺動可能に挿通されると共に、首掛けベルト３の外面に面ファスナー１１で着脱可能に係止される。
【００１４】
首掛けベルト３の他端部は外面側へ折り返されると共に、複数対のスナップ留め具１２を介して首掛けベルト３の外面に着脱可能に係止され、首掛けベルト３の他端にループ状のバッグ支持部１３が設けられる。
従って、スナップ留め具１２を外して首掛けベルト３の他端部をバッグＡの持ち手Ｂに通した後、他端部を折り返してスナップ留め具１２を係止することにより、首掛けベルト３のバッグ支持部１３を持ち手Ｂに連結することができる（図５）。
また、複数対のスナップ留め具１２を設けてあるので、係止する雌雄の留め具の組み合わせを変えることにより、首掛けベルト３の長さを調整することが可能である。
【００１５】
なお、バッグ支持部の構造は図示のものに限定されず、折り返した部分を止める留め具の構造を変えることもできる。
また、図１及び図１２に示すように、首掛けベルト３の折り返した部分を除いた首当接部分の外周面は、首掛けベルト３を構成する帯状片より滑らかな布１４で被覆されている。布１４は、帯状片の色等に調和するような色彩及び模様とし、デザイン性を高めることができる。
さらに、首掛けベルト３の一端部は、位置調整具６を用いずに、肩巻付けベルト２に直接巻き付けて、面ファスナー１１を係止することにより取り付けることもできる。
【００１６】
この保持ベルト１は、次のように使用する。
予め、長さ調整具４を肩巻付けベルト２に対して摺動させて、肩巻付けベルト２の長さを使用者の肩周りに巻き付けやすい長さに調節しておく。
次に、図５に示すように、首掛けベルト３のバッグ支持部１３をバッグＡの持ち手Ｂに連結する。
次いで、肩巻付けベルト２の係止具５ａ，５ｂを外し、バッグＡの持ち手Ｂを使用者の一方の肩にかけ、首掛けベルト３を背面側から首周りに配置した後、肩巻付けベルト２を使用者の他方の肩から脇の下を通して巻き付け、係止具５ａ，５ｂを係止する。
すると、バッグＡの持ち手Ｂがずり落ちようとしても、他方の肩に巻きつけられた肩巻付けベルト２が引っかかって、首掛けベルト３を介してバッグＡの持ち手Ｂを引っ張り、バッグＡのずり落ちを防ぐ。
【００１７】
勿論、予め、バッグ支持部１３をバッグＡの持ち手Ｂに連結し、係止具５ａ，５ｂを係止して肩巻付けベルト２を環状に形成した状態で、肩巻付けベルト２に一方の腕を通して肩に装着した後、持ち手Ｂに他方の腕を通しながら、首掛けベルト３を首の背面側にまわしてかけることもできる。
また、首掛けベルト３を肩巻付けベルト２から外し、簡単に向きを変えて装着することができるので、バッグＡを容易に左右どちらの肩にかけることもできる。
【符号の説明】
【００１８】
１            保持ベルト
２            肩巻付けベルト
３            首掛けベルト
４            長さ調整具
５ａ          一方の係止具
５ｂ          他方の係止具
６            位置調整具
７            外枠
８，８’      斜め材
９，９’      区画部
１０，１０’  区画部
１１          面ファスナー
１２          スナップ留め具
１３          バッグ支持部
１４          布
Ａ            バッグ
Ｂ            持ち手
【図１】
2018122020.tif 000003
【図２】
2018122020.tif 000004
【図３】
2018122020.tif 000005
【図４】
2018122020.tif 000006
【図５】
2018122020.tif 000007